(57)【要約】  動物用タグ付けアプリケータ（１）は、互いに回動可能に連結するハンドルであって、動物の耳（３９）周りに係合すべき耳用タグを（１０）を分与するためのそれぞれのジョー（６）および（７）まで延在するハンドル（２）および（３）を有する。タグ（１０）は細長で長手方向に連結した、細条の形式とし、これら細条は中空ハンドル（２）内に収容することができる。スライダ（１７）は、最前タグ（１０Ａ）に係合して、分与位置まで移動させるプッシャ（１８）を有し、分与位置ではプッシャの雄形部分に上側ジョー（７）が係合し、切断手段（３１）により最前タグ（１０Ａ）と直後の後続タグとの間における連結を切断する。釈放可能な止部材（４２）は、最前タグ（１０Ａ）を分与する前に、最前タグに係合する。空動きスロット（４３）は、プッシャ（１８）が後続タグ（１０）に係合してそれを分与位置に移動させる前に、切断手段（３１）が上昇するのを可能にする。
2010512785.tif 000002
【特許請求の範囲】
【請求項１】
動物用タグ付けアプリケータにおいて、長手方向に連結したタグを有する細条を内部に収容するよう構成したアプリケータ本体と、前記アプリケータ本体に設けた移送手段であって、使用に際して前記タグの細条に係合するよう構成した該移送手段と、を備え、これにより使用にあたり細条を前記アプリケータ本体に対してほぼ長手方向に移動し、細条の最前タグを分与位置に位置決めするよう構成し、前記タグ付けアプリケータは、さらに、使用にあたり前記最前タグに係合するよう構成した分与手段を備え、この分与手段により、前記最前タグを前記分与位置で細条における後続の隣接タグから分離して動物の部位周りに固定し、前記移送手段は、前記タグの細条に再係合して次の最前タグを前記分与位置まで移動するよう構成した、動物用タグ付けアプリケータ。
【請求項２】
請求項１に記載の動物用タグ付けアプリケータにおいて、前記移送手段は、前記細条を前記アプリケータ本体に対して長手方向に引っ張るよう構成した、動物用タグ付けアプリケータ。
【請求項３】
請求項２に記載の動物用タグ付けアプリケータにおいて、前記移送手段は、前記細条を引っ張る際に最前タグの一部に係合するよう構成した、動物用タグ付けアプリケータ。
【請求項４】
請求項３に記載の動物用タグ付けアプリケータにおいて、各タグはボス部を有し、また前記移送手段は前記アプリケータ本体に沿ってスライド可能なスライド手段を有し、このスライド手段の前端部が、使用にあたり前記最前タグのボス部に係合する、動物用タグ付けアプリケータ。
【請求項５】
請求項１〜４のうちいずれか一項に記載の動物用タグ付けアプリケータにおいて、前記アプリケータ本体を第１ハンドルの一部として設け、前記第１ハンドルはその前端部に設けた第１ジョーまで延在するものとし、第２ハンドルを前記第１ハンドルに回動可能に連結し、第２ハンドルはその前端に設けた第２ジョーまで延在するものとし、第１および第２のハンドル双方の回動により、分与すべき最前タグのために前記第１および第２のジョーを閉鎖する構成とした、動物用タグ付けアプリケータ。
【請求項６】
請求項５に記載の動物用タグ付けアプリケータにおいて、第１および第２のハンドルと、前記第１および第２のジョーは、平素開放位置に押圧偏倚し、前記第１および第２のハンドルを閉じることにより前記第１および第２のジョーをともに閉じ、前記移送手段は、前記第１ジョーの前端部に向けて押圧偏倚し、前記タグ細条の最前タグに係合してこの最前タグを分与位置に向けて押圧偏倚する、動物用タグ付けアプリケータ。
【請求項７】
請求項６に記載の動物用タグ付けアプリケータにおいて、前記細条の各タグの雄形部分は、雌形部分に対面させて可撓的に相互連結し、前記最前タグに前記分与手段が係合することにより、雄形部分と雌形部分の係合および後続隣接タグからの前記最前タグの分離を生ずるようにした、動物用タグ付けアプリケータ。
【請求項８】
請求項７に記載の動物用タグ付けアプリケータにおいて、前記分与手段は前記第２ジョーを有し、この第２ジョーは前記最前タグの雄形部分の上面に係合するよう構成し、さらに、切断手段を備え、この切断手段は、切断位置で前記最前タグと後続隣接タグとの間の連結部に係合するように構成した、動物用タグ付けアプリケータ。
【請求項９】
請求項８に記載の動物用タグ付けアプリケータにおいて、前記切断手段は、前記第２ジョーの両側の側面にそれぞれ設け、使用にあたり、前記連結部の対応する側方部分に切断可能に係合する、動物用タグ付けアプリケータ。
【請求項１０】
請求項９に記載の動物用タグ付けアプリケータにおいて、前記各切断手段は、前記連結部において後続隣接タグの前端縁を面取り切断するよう構成したブレードを有する、動物用タグ付けアプリケータ。
【請求項１１】
請求項５に記載の動物用タグ付けアプリケータにおいて、前記第１ジョーは、前記分与位置で前記最前タグに係合するよう構成した止め手段を有し、前記止め手段は、前記最前タグを分与するときに釈放位置まで移動可能とした、動物用タグ付けアプリケータ。
【請求項１２】
請求項１１に記載の動物用タグ付けアプリケータにおいて、前記止め手段は、平素止め位置に向けて押圧偏倚し、前記第１および第２のジョーを閉じるように前記ハンドルをともに移動させることにより、前記止め手段を前記押圧偏倚力に抗してタグ釈放位置に移動する、動物用タグ付けアプリケータ。
【請求項１３】
請求項８に記載の動物用タグ付けアプリケータにおいて、「空動き」連結を、前記第２ハンドルと前記移送手段との間に設け、前記最前タグを分与した後で前記切断手段が切断手段から移動するまでは、前記移送手段が移動して後続タグに係合するのを遅延させる、動物用タグ付けアプリケータ。
【請求項１４】
請求項１３に記載の動物用タグ付けアプリケータにおいて、「空動き」連結は、前記移送手段を前記第２ハンドルに連結するリンク機構に設けた細長スロットを有する、動物用タグ付けアプリケータ。
【請求項１５】
請求項１〜１４のいずれか一項に記載の動物用タグ付けアプリケータにおいて、前記第２ジョーは、前記最前タグの雌形部分受容および収容するよう構成し、前記第２ジョーはその両側にスロットを有し、該スロットは雌形部分に対して設けた側方突起をスライド可能に収容するよう構成した、動物用タグ付けアプリケータ。
【請求項１６】
添付図面につき説明した動物用タグ付けアプリケータ。
【請求項１７】
請求項１〜１６のいずれか一項に記載のタグ付けアプリケータに使用するよう構成し、それぞれ雄形部分および雌形部分を有するタグの細条において、隣接タグを長手方向に連結して前記細条を形成する連結部を有し、前記細条は使用にあたり移送手段に係合するよう構成し、これにより細条をアプリケータ本体に対してほぼ長手方向に分与位置に向けて移動することができ、前記タグは、選択的に分与手段に係合可能に構成し、これにより、細条の最前タグを後続の隣接タグから分離し、前記最前タグを動物の部位周りに固定することができるようにした、タグ細条。
【請求項１８】
請求項１７に記載のタグ細条において、各タグの雄形部分をそれぞれ前記雌形部分に対向させた、タグ細条。
【請求項１９】
添付図面につき説明したタグ細条。
【発明の詳細な説明】
【技術分野】
【０００１】
本発明は動物用タグ付けアプリケータおよび／またはアプリケータ用タグに関し、またこれらの改善に関する。
【０００２】
より詳細には、これに限定するものではないが、本発明は、飼育動物、例えば羊などの家畜適したタグ付けアプリケータおよび／またはタグに関する。
【背景技術】
【０００３】
現在までの多くのタグ付けアプリケータは、動物に単独のタグを一般的にはその耳に取り付けるためにのみ使用することができる。そのようなタグ付けアプリケータはタグ付け毎に個別のタグを装填する必要があり、この結果、時間および労力がかかるものであった。
【０００４】
しかし、他のアプリケータとして、アプリケータに装填できるタグの細条を使用し、タグを順次にアプリケータから分与することができるものが提案された。
【０００５】
コーア（Cohr）社による特許文献１（米国特許５２３４４４０号）では、例えば、タグの細条を、アプリケータ本体に並置したマガジンに装填する。個々のタグを分与するためには、アプリケータを操作することにより、マガジン内の先頭タグをアプリケータ本体内に移動させ、スライダのブレードがマガジン内のタグストリップから先頭タグを切断し、タグ前進機構が分断したばかりの先頭タグをアプリケータの前方へ移動させ、動物に固定することができる。一般的に、このような側面からの装填作動およびストリップからタグを早期に分割することは、様々な不都合な点をもたらすことが分かっており、特にその動作には困難があり信頼性がない。
【０００６】
他のアプリケータとしては、イーディー（Eadie）社による特許文献２（ニュージーランド特許５２４９５３号）に記載されているように、やはり、アプリケータに対して側方に配置するタグの平坦細条を設けるものがある。タグは、この場合、個別に順次アプリケータ本体内に歯車によって送り込まれる。この設計では、細条における初めの２個のタグが各場合に使用できず、側面装填操作はやはり困難である。
【先行技術文献】
【特許文献】
【０００７】
【特許文献１】米国特許５２３４４４０号明細書
【特許文献２】ニュージーランド特許５２４９５３号明細書
【発明の概要】
【発明が解決しようとする課題】
【０００８】
本発明の少なくとも好適な実施形態の目的は、従来のタグ付けアプリケータおよびタグ細条の問題点を少なくとも回避する、または少なくともユーザーに有用な選択を与えるような、動物用タグ付けアプリケータおよび／またはタグの細条を得るにある。
本発明の他の目的は以下の説明により明らかになるであろう。
【課題を解決するための手段】
【０００９】
本発明の一態様によれば、動物用タグ付けアプリケータを提供し、この動物用タグ付けアプリケータは、長手方向に連結したタグを有する細条を内部に収容するよう構成したアプリケータ本体と、前記アプリケータ本体に設けた移送手段であって、使用に際して前記タグの細条に係合するよう構成し該移送手段と、を備え、これにより使用にあたり細条を前記アプリケータ本体に対してほぼ長手方向に移動し、細条の最前タグを分与位置に位置決めするよう構成し、前記タグ付けアプリケータは、さらに、使用にあたり前記最前タグ係合するよう構成した分与手段を備え、この分与手段により、前記最前タグを前記分与位置で細条における後続の隣接タグから分離して動物の部位周りに固定し、前記移送手段は、前記タグの細条に再係合して次の最前タグを前記分与位置まで移動するよう構成する。
【００１０】
好適には、前記移送手段は、前記細条を前記アプリケータ本体に対して長手方向に引っ張るよう構成する。
【００１１】
好適には、前記移送手段は、前記細条を引っ張る際に最前タグの一部に係合するよう構成する。
【００１２】
好適には、前記アプリケータ本体は前記タグの細条を収容するよう構成し、前記細条の各タグの雄形部分は、前記雌形部分に対面させて可撓的に相互連結し、最前タグに分与手段が係合することにより、雄形部分と雌形部分の係合および後続隣接タグからの最前タグの分離を生ずるようにする。
【００１３】
本発明の他の態様によれば、長手方向軸を有するストリップを設けて、直前の４つの段落により定義するアプリケータで使用するよう構成し、それぞれ雄形部分および雌形部分を有するタグの細条を提供し、この細条は、隣接タグを長手方向に連結して前記細条を形成する連結部を有し、前記細条は使用にあたり移送手段に係合するよう構成し、これにより細条をアプリケータ本体に対してほぼ長手方向に分与位置に向けて移動することができ、前記タグは、選択的に分与手段に係合可能に構成し、これにより、細条の最前タグを後続の隣接タグから分離し、前記最前タグを動物の部位周りに固定することができるようにする。
【００１４】
好適には、前記タグ細条は、各タグの雄形部分をそれぞれ前記雌形部分に対向させる。
【００１５】
本発明の他の態様によれば、添付図面につき説明する動物用タグ付けアプリケータおよび／または動物用タグ細条を提供する。
【００１６】
すべて新規な態様としてみなすべき本発明の他の態様は、考えうる実施形態を例示として用いた以下の説明から明らかになるであろう。
【図面の簡単な説明】
【００１７】
【図１】耳用のタグ細条を装填した本発明の一実施形態による耳用タグ付けアプリケータの線図的説明図である。
【図２】図１の耳用のタグ付けアプリケータの下側からの斜視図である。
【図３】図２のタグ付けアプリケータにおける側面図である。
【図４】図２のタグ付けアプリケータにおける平面図である。
【図５】図２のタグ付けアプリケータにおける各方向からの平面および端面図である。
【図６】先行する図のタグ付けアプリケータにタグ細条を装填している途中の状態を示す部分断面図である。
【図７】図６の耳用のタグ付けアプリケータにおける装填後の状態を示す部分断面図である。
【図８】図７の耳用のタグ付けアプリケータにおいて、最前タグをハンドル開口から投与位置に前進させた状態を示す部分断面図である。
【図９】図８の上方から見た斜視図である。
【図１０】最前タグを取り付けた状態（動物の耳は図示せず）を示す説明図である。
【図１１】最前タグを分断釈放した後の状態を動物の耳の輪郭とともに示す説明図である。
【図１２】後続最前タグを完全に前進した再装填状態を示す耳用タグ付けアプリケータを示す説明図である。
【図１３】２個のタグ細条の上方から見た斜視図である。
【図１４】タグを装填した状態を示すタグ付けアプリケータの前方から見た斜視図である。
【図１５ａ】本発明の一実施形態によるタグ細条の平面図である。
【図１５ｂ】本発明の一実施形態によるタグ細条の側面図である。
【図１５ｃ】本発明の一実施形態によるタグ細条の後面図である。
【図１５ｄ】本発明の一実施形態によるタグ細条の前面図である。
【図１５ｅ】本発明の一実施形態によるタグ細条の底面図である。
【図１６】タグ細条の横方向から見た斜視図である。
【図１７】タグを装填した状態のタグ付けアプリケータの、ブレード組立体を、より詳細に一部切除して示す、前方から見た斜視図である。
【図１８】図１７に示すタグ付けアプリケータの作動後の状態を示す説明図である。
【発明を実施するための形態】
【００１８】
添付図面につき、本発明の一実施形態によるタグ付けアプリケータを、全体的に矢印付き参照符号１で示す。
タグ付けアプリケータ１は、任意の適当な一つの材料または複数の材料、例えば金属およびプラスチックから製造することができる。このタグ付けアプリケータ１は、図示のように、下側前方ジョー６にいたる第１ハンドル２を有する。ハンドル２はアプリケータ本体をなし、細長いタグ１０の細条の少なくとも一部を収容するよう構成する。ハンドル２は、図示のように、２個の部分２Ａと２Ｂに分けることができ、接続部４０において互いにねじ連結する。より短いタグ細条のためのいくつかの実施形態においては、ハンドル部２Ｂの後部を分離可能にすることが考えられる。下側ハンドル３は、図示のように上側ジョー７に関連する。ハンドル２，３は、図示のように、枢軸８で互いに回動可能に連結する。
【００１９】
図１３に示すように、好適には、タグ細条における各タグ１０は、ステム１２および先端部１２Ａを有する雄形部分１１と、開孔２６を有する有孔ボス２８を設けた雌形部分２５との組み合わせとすることができる。雄形部分１１は雌形部分２５に対面し、これにより、後で係合するための予備的な折り畳み動作を必要としない。雄形および雌形の部分１１，２５およびタグ細条における隣接タグ１０は、好適には、それぞれに対応する上方および下方の連結部分１５，２９により適切に相互連結することができる。上方連結部分１５は、雄形部分１１を折り込み易くするため、少なくとも部分的に可撓性を有するものとする。下方連結部分２９は、必要なときにタグ細条からタグ１０を分離し易くするため、折れやすいまたは脆弱化した区域を有するものとすることができる。下方連結部分２９は、図示のように、２個の側方部分３０間に横方向スロット４１を有し、したがって隣接タグ１０を分離する際に、側方部分３０のみを切り離せばよいようにする。とくに図１３に示すように、例えば、上方連結部分１５に抉り込み部３８を設け、分与位置にタグ１０を移動させる、とくに切断手段３１を通過させるのを容易にすることができる。
【００２０】
図３，１２，１４，１７につき説明すると、ジョー６および７の開放位置で示し、これらジョー間に、最前タグ１０Ａが、動物の部位周りに分与して固定する準備状態にあることを示す。この位置において、ハンドル３はハンドル２に対して開放した状態に押圧偏倚される。適当な押圧偏倚（バイアス）手段、例えばばね２２により、ハンドル３を図３，１２，１４，１７に示すジョー開放位置に偏倚する。ばね２２は、さらに、このジョー開放位置において、タグ細条の移送または移動手段、例えばスライダ１７の端部におけるプッシャ１８を、最前タグ１０Ａのボス２８の後部に圧着させる（とくに図１７に参照）。
【００２１】
このジョー開放位置において、とくに図１４，１７から分かるように、下側ジョー６における直立止ペグまたは衝合部（アバットメント）４２が、最前タグ１０Ａのボス２８の前部に係合する。
【００２２】
とくに図８につき説明すると、ハンドル３が枢軸２１およびアーム１６によりスライダ１７に連結していることがわかる。スライダ１７は、ハンドル２の下側面に設けた適切なガイドまたは同様のもの内でスライドするよう構成する。プッシャ部材または同様のもの１８は、図示のように、傾斜した後面１８Ａを有し、タグ付けアプリケータが開放しているときに後続のタグ１０を後戻り通過し易くする。図１１に示すように、空動きスロット４３はスライダ１７およびプッシャ１８がハンドル２に沿って後戻りし、最前タグ１０Ａを分与後にハンドル２，３が開放してブレード組立体１が持ち上がるまで、後続タグの背後に係合するのを遅延させる。
【００２３】
当然のことながら、本発明のタグ１０の細条は、細条から最前タグを分離して動物にタグ付けした後に、長手方向の一方向のみに動かすので、従来のタグ付けアプリケータのアプリケータ本体に対する側方または横方向からのタグ供給に関連する問題を回避することができる。最前タグの背後を押すことにより、残りのタグ細条は、取り付け本体から実質的に引っ張られることになる。また、タグ１０の細条は全体的にアプリケータ本体を通って移動し、タグ細条から個別のタグが早期に分離するのを回避する。さらに、タグストリップのすべてのタグを使用することができる点でムダがない。
【００２４】
本発明のタグ付けアプリケータ１にタグ細条を装填した後には、自動的に、すべてのタグを使いきるまで、また比較的簡単な再装填動作を行うことができるまで、順次のタグ付け作業に使用することができるようになる。
【００２５】
とくに図１〜５、１２，１４，１７につき説明すると、タグ細条を装填したタグ付けアプリケータ１は、最前タグ１０Ａがジョー６、７間に位置して、ハンドル２，３がそれぞれ開放位置に離間する、タグ付け作業の準備が整った状態を示す。タグ付けアプリケータ１にタグ１０の細条を装填するに際して、タグ１０を矢印Ａの方向に、図示の実施形態ではハンドル２内の頂部開口１３内に送り込み、つぎにタグ細条をハンドル２の２個の部分２Ａと２Ｂ内に沿って押し込むとともに、タグ付けアプリケータ１を図６に示すような閉鎖状態にする。さらに図６に示すように、装填段階中、スライダ１７の端部におけるプッシャ１８は戻しばね２２が伸張した状態で後方位置をとる。このとき、ブレードまたはカッター組立体３１も、その降下した切断位置をとる。図７では、タグ１０の細条は、先頭タグ１０ａのボス２８がプッシャ１８の前方かつカッター組立体３１の後方に存在する、装填状態を示す。タグ１０の細条の初期長さおよび細長のハンドル２により規定される隔室長さに基づいて、タグ細条の後方タグ１０ｂはわずかに長手方向に圧縮される。このことは、タグ細条全体の移動を制限することを支援する、すなわちタグ付けアプリケータ内におけるタグ細条の安定性を確保しようとする。この点に関して、当然のことながら、タグ付けアプリケータは使用に際して反転してもよく、図示の上向き状態にしなくてもよい。各タグ１０の雌形部分２５における各ボス２８には、図示のように、フランジ４８または同種のものを設け、このフランジを下側ジョー６の両側にあるＴスロット３２（図１４参照）に係合することができ、それによりタグ付けアプリケータ内におけるタグ１０の位置決めを安定させる。
【００２６】
つぎに、とくに図８，９につき説明すると、ハンドル２および３が開放するにつれ、最前タグ１０Ａのフランジ４８がＴスロット３２に係合し、プッシャ１８は最前タグ１０Ａのボス２８に作用して、分与準備位置に向けて前進させる。当然のことながら、この点に関して、プッシャ戻しばね２２は、プッシャ１８に作用するとともに、タグ付けアプリケータ１を図８，９に示す位置に開放するようにも作用する。
【００２７】
つぎに図１０につき説明すると、最前タグ１０Ａを動物の耳（耳は図示せず）に当て付け、切断手段３１により最前タグ１０Ａを後続タグ１０Ｃから切り離す。当然のことながら、上側ジョー７のみが、タグ１０Ａの雄形部分に力を加え、さらに雌形部分２５に係合させるのに必要である。このことは、コーア（cohr）社およびイーディー（Eadie）社製などの従来のタグ細条、すなわち、タグは雄形部分と雌形部分の係合を可能にするための折り畳み作業を必要とするのとは、異なる。
【００２８】
止部材４２が下方位置をとる図１１につき説明すると、取り付け済みタグ１０Ｅは動物の耳３９とともに釈放される（このとき上述のように、タグは取り付け後に、動物はタグを自由に引っ張ることができ、これはこのことを行うのを阻止するものがないからである）。ジョー６，７が閉鎖し続けている場合に、プッシャ１８は新規の最前タグ１０Ａのボス２８の背後に位置し、このタグおよびそれに接続するタグ細条を前方に押し出す。
【００２９】
空動きスロット４３は、プッシャ１８が後続タグ１０の背後位置に向けて後方移動することを可能にする。このことは、空動きにより、タグ１０Ａを取り付けた後にタグ付けアプリケータ１を開放するにつれてスライダ１７が前方に移動することを防止する。これにより、タグがジョー６，７における前方位置に移動する前に、後続タグの前端縁をブレード３１Ａが通過するのを可能にする。この遅延および滞留は、プッシャ１７が「ゆるみ」を取り除く前の、ほんの短い時間である。これによりブレード３１Ａが、もしスライダ１７が急に移動した場合に、後続タグ１０Ａが移動して詰まりを引き起こすのを回避する。
【００３０】
つぎに図１２に戻って説明すると、タグ付けアプリケータ１は、その分与準備位置に新たな最前タグ１０Ａを配置した再装填状態を示す。図１２に示す分与位置に達する際に、新たな最前タグ１０Ａは切断手段３１を通過して移動しなければならない。この移動を補助するため、図１３に示すように、タグ１０には側方切除部３８を設けることができ、移動動作のタイミングは、新たな最前タグ１０Ａが切断手段を通過して移動するとき、側方切除部３８が切断手段３１の区域にあるようにする。切除部３８を設けることにより、さらに、タグ１０の折りを込み容易にする効果もあり、したがって雄形部分と雌形部分との間にほぼ平行関係をもたらすことができる。
【００３１】
とくに図１４につき説明すると、分与準備状態にあるタグ１０が、ジョー６，７間の位置にある状態を、より詳細に示す。雌形部分２５は、図示のように、雄形部分１１のステム１２の先端部１２Ａを収容する準備状態にある開孔２６を有する。雌形部分の頂面の前端縁２７にはテーパを付けるまたは面取りし、それによりステム１２に接近する動物の耳を傷付けるのを防止する。この点において、なんらかの隆起したまたは不規則な表面はタグが回転するとき動物の耳を損傷して、深刻な影響をもたらす。しかし、タグ１０を個別にタグ細条から分離したときに、面取りして滑らかな表面２７がこの実施形態において確実に確保できることは重要である。したがって、図１３〜１６から特にわかるように、切断手段３１は、容認できるタグ分離を確実にするのに必要であり、それにより隣接タグ間の連結部分２９は、この好適な実施形態において、最前タグの後部における残余部分２７Ａを除去した状態で、面取りした前端縁２７および面取りした後端縁が得られるようにする。切断手段３１は、したがって、最前タグの後方に作用するよう配置し、面取りした前端縁２７が面取り切断ブレード３１Ａによって得られるようにする。
【００３２】
とくに図１２，１４および１７につき説明すると、止め部材または衝合部４２を図示のように、ジョー６の前端部に設け、最前タグ１０Ａのボス２８のための衝合部として作用させる。とくに図１２に示すように、止め部材４２は、枢軸４５に回動可能に連結した細長アーム４４の上向きの端部とし、ばね４６により止め部４２の「上側」位置に押圧偏倚（バイアス）すると好適である。最前タグ１０Ａを動物の耳３９に取り付けて釈放したとき、とくに図１０および１８に示すように、ハンドル２および３を互いに絞り込むとき、下側ハンドル３はアーム４４の端部４７に係合して、バネ４６を圧縮し、これにより止め部材４２は下方に回動し、したがって最前タグ１０Ａのボス２８から離脱してその釈放を可能にする。
【００３３】
とくに図１７および１８につき説明すると、ブレード組立体３１は、図示のように、上側ジョー７の両側側面に設ける。好適には、図示のように、ブレード組立体３１は、先頭タグ１０Ａの後端縁の両側および後続タグ１０の前端縁の両側で面取り切断を可能にするＶ字状またはノッチ状のブレード組立体として設け、これにより後続タグ１０が最前タグ１０Ａになるとき、１対の面取り端縁２７を生ずるようにする（図１７参照）。
【００３４】
したがって、本発明のタグ付けアプリケータおよびタグ細条は、迅速で効率的な順次のタグ付け作業を多くの動物に再装填なしに行うことができることがわかる。
【００３５】
上述の説明において、既知の等価物もあり得る本発明の特別なコンポーネントまたは実体につき説明したが、本発明はこのような既知の等価物を組み込むことができる。また、 本明細書において、「耳タグ」につき説明したが、動物の体における任意の部分に取り付けるのに好適なタグおよびタグ付けアプリケータをも本発明は包含することを理解されたい。
【００３６】
本発明は、例示として、あり得る実施形態について説明したが、添付特許請求の範囲に定義した本発明の範囲から逸脱することなく、変更または改善を加えることができることを理解されたい。
【図１】
2010512785.tif 000003
【図２】
2010512785.tif 000004
【図３】
2010512785.tif 000005
【図４】
2010512785.tif 000006
【図５】
2010512785.tif 000007
【図６】
2010512785.tif 000008
【図７】
2010512785.tif 000009
【図８】
2010512785.tif 000010
【図９】
2010512785.tif 000011
【図１０】
2010512785.tif 000012
【図１１】
2010512785.tif 000013
【図１２】
2010512785.tif 000014
【図１３】
2010512785.tif 000015
【図１４】
2010512785.tif 000016
【図１５（ａ）】
2010512785.tif 000017
【図１５（ｂ）】
2010512785.tif 000018
【図１５（ｃ）】
2010512785.tif 000019
【図１５（ｄ）】
2010512785.tif 000020
【図１５（ｅ）】
2010512785.tif 000021
【図１６】
2010512785.tif 000022
【図１７】
2010512785.tif 000023
【図１８】
2010512785.tif 000024
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
動物用タグ付けアプリケータにおいて、長手方向軸線を有するアプリケータ本体であって、長手方向に指向し、また長手方向に連結したタグを有する細条を内部に収容するよう構成し、各タグは、前記細条の前記長手方向に延在する雄形部分および雌形部分を有するものとした、該アプリケータ本体と、このアプリケータ本体に設けた移送手段であって、使用に際して前記タグの細条に係合するよう構成した該移送手段と、を備え、これにより使用にあたり細条を前記アプリケータ本体に対してほぼ長手方向に移動し、細条の最前タグを分与位置に位置決めするよう構成し、前記タグ付けアプリケータは、さらに、使用にあたり前記最前タグに係合するよう構成した分与手段を備え、この分与手段により、前記最前タグを前記分与位置で細条における後続の隣接タグから分離して動物の部位周りに固定し、前記移送手段は、前記タグの細条に再係合して次の最前タグを前記分与位置まで移動するよう構成し、また、前記移送手段は、最前タグの一部に係合して前記細条を前記アプリケータ本体に対して長手方向に引っ張るよう構成した、動物用タグ付けアプリケータ。
【請求項２】
請求項１に記載の動物用タグ付けアプリケータにおいて、各タグはボス部を有し、また前記移送手段は前記アプリケータ本体に沿ってスライド可能なスライド手段を有し、このスライド手段の前端部が、使用にあたり前記最前タグのボス部に係合する、動物用タグ付けアプリケータ。
【請求項３】
請求項１または２記載の動物用タグ付けアプリケータにおいて、前記アプリケータ本体を第１ハンドルの一部として設け、前記第１ハンドルはその前端部に設けた第１ジョーまで延在するものとし、第２ハンドルを前記第１ハンドルに回動可能に連結し、第２ハンドルはその前端に設けた第２ジョーまで延在するものとし、第１および第２のハンドル双方の回動により、分与すべき最前タグのために前記第１および第２のジョーを閉鎖する構成とした、動物用タグ付けアプリケータ。
【請求項４】
請求項３に記載の動物用タグ付けアプリケータにおいて、第１および第２のハンドルと、前記第１および第２のジョーは、平素開放位置に押圧偏倚し、前記第１および第２のハンドルを閉じることにより前記第１および第２のジョーをともに閉じ、前記移送手段は、前記第１ジョーの前端部に向けて押圧偏倚し、前記タグ細条の最前タグに係合してこの最前タグを分与位置に向けて押圧偏倚する、動物用タグ付けアプリケータ。
【請求項５】
請求項４に記載の動物用タグ付けアプリケータにおいて、前記細条の各タグの雄形部分は、雌形部分に対面させて可撓的に相互連結し、前記最前タグに前記分与手段が係合することにより、雄形部分と雌形部分の係合および後続隣接タグからの前記最前タグの分離を生ずるようにした、動物用タグ付けアプリケータ。
【請求項６】
請求項５に記載の動物用タグ付けアプリケータにおいて、前記分与手段は前記第２ジョーを有し、この第２ジョーは前記最前タグの雄形部分の上面に係合するよう構成し、さらに、切断手段を備え、この切断手段は、切断位置で前記最前タグと後続隣接タグとの間の連結部に係合するように構成した、動物用タグ付けアプリケータ。
【請求項７】
請求項６に記載の動物用タグ付けアプリケータにおいて、前記切断手段は、前記第２ジョーの両側の側面にそれぞれ設け、使用にあたり、前記連結部の対応する側方部分に切断可能に係合する、動物用タグ付けアプリケータ。
【請求項８】
請求項７に記載の動物用タグ付けアプリケータにおいて、前記各切断手段は、前記連結部において後続隣接タグの前端縁を面取り切断するよう構成したブレードを有する、動物用タグ付けアプリケータ。
【請求項９】
請求項３に記載の動物用タグ付けアプリケータにおいて、前記第１ジョーは、前記分与位置で前記最前タグに係合するよう構成した止め手段を有し、前記止め手段は、前記最前タグを分与するときに釈放位置まで移動可能とした、動物用タグ付けアプリケータ。
【請求項１０】
請求項９に記載の動物用タグ付けアプリケータにおいて、前記止め手段は、平素止め位置に向けて押圧偏倚し、前記第１および第２のジョーを閉じるように前記ハンドルをともに移動させることにより、前記止め手段を前記押圧偏倚力に抗してタグ釈放位置に移動する、動物用タグ付けアプリケータ。
【請求項１１】
請求項６に記載の動物用タグ付けアプリケータにおいて、「空動き」連結を、前記第２ハンドルと前記移送手段との間に設け、前記最前タグを分与した後で前記切断手段が切断手段から移動するまでは、前記移送手段が移動して後続タグに係合するのを遅延させる、動物用タグ付けアプリケータ。
【請求項１２】
請求項１１に記載の動物用タグ付けアプリケータにおいて、「空動き」連結は、前記移送手段を前記第２ハンドルに連結するリンク機構に設けた細長スロットを有する、動物用タグ付けアプリケータ。
【請求項１３】
請求項３〜１２のいずれか一項に記載の動物用タグ付けアプリケータにおいて、前記第２ジョーは、前記最前タグの雌形部分受容および収容するよう構成し、前記第２ジョーはその両側にスロットを有し、該スロットは雌形部分に対して設けた側方突起をスライド可能に収容するよう構成した、動物用タグ付けアプリケータ。
【請求項１４】
添付図面につき説明した動物用タグ付けアプリケータ。
【請求項１５】
長手方向軸線を有する細条であって、請求項１〜１４のいずれか一項に記載のタグ付けアプリケータに使用するよう構成した該細条において、前記細条は、長手方向に指向して長手方向に連結したタグであって、双方ともに前記細条の長手方向に延在する雄形部分および雌形部分を有する各タグと、隣接タグを長手方向に連結して前記細条を形成する連結部とを有し、前記細条は使用にあたり移送手段に係合するよう構成し、これにより細条をアプリケータ本体に対してほぼ長手方向に分与位置に向けて引っ張ることができ、前記タグは、選択的に分与手段に係合可能に構成し、これにより、細条の最前タグを後続の隣接タグから分離し、前記最前タグを動物の部位周りに固定することができるようにした、タグ細条。
【請求項１６】
請求項１５に記載のタグ細条において、各タグの雄形部分をそれぞれ前記雌形部分に対向させた、タグ細条。
【請求項１７】
添付図面につき説明したタグ細条。
【手続補正２】
【補正対象書類名】明細書
【補正対象項目名】０００９
【補正方法】変更
【補正の内容】
【０００９】
本発明の一態様によれば、動物用タグ付けアプリケータを提供し、この動物用タグ付けアプリケータは、長手方向軸線を有するアプリケータ本体であって、長手方向に指向し、また長手方向に連結したタグを有する細条を内部に収容するよう構成し、各タグは、前記細条の前記長手方向に延在する雄形部分および雌形部分を有するものとした、該アプリケータ本体と、前記アプリケータ本体に設けた移送手段であって、使用に際して前記タグの細条に係合するよう構成し該移送手段と、を備え、これにより使用にあたり細条を前記アプリケータ本体に対してほぼ長手方向に移動し、細条の最前タグを分与位置に位置決めするよう構成し、前記タグ付けアプリケータは、さらに、使用にあたり前記最前タグ係合するよう構成した分与手段を備え、この分与手段により、前記最前タグを前記分与位置で細条における後続の隣接タグから分離して動物の部位周りに固定し、前記移送手段は、前記タグの細条に再係合して次の最前タグを前記分与位置まで移動するよう構成し、また、前記移送手段は、最前タグの一部に係合して前記細条を前記アプリケータ本体に対して長手方向に引っ張るよう構成する。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】変更
【補正の内容】
【００１３】
本発明の他の態様によれば、長手方向軸を有する細条であって、直前の２つの段落により定義するアプリケータで使用するよう構成した該細条を提供し、この細条は、長手方向に指向して長手方向に連結したタグであって、双方ともに前記細条の長手方向に延在する雄形部分および雌形部分を有する各タグと、隣接タグと長手方向に連結して前記細条を形成する連結部とを有し、前記細条は使用にあたり移送手段に係合するよう構成し、これにより細条をアプリケータ本体に対してほぼ長手方向に分与位置に向けて引っ張ることができ、前記タグは、選択的に分与手段に係合可能に構成し、これにより、細条の最前タグを後続の隣接タグから分離し、前記最前タグを動物の部位周りに固定することができるようにする。
【手続補正６】
【補正対象書類名】明細書
【補正対象項目名】００１５
【補正方法】変更
【補正の内容】
【００１５】
本発明の他の態様によれば、添付図面につき説明する動物用タグ付けアプリケータおよび／またはタグ細条を提供する。
【国際調査報告】
2010512785.tif 000025
2010512785.tif 000026
2010512785.tif 000027
2010512785.tif 000028